(57)【要約】【課題】ノズルの開口部の短辺方向に風を収束させつつ、長辺方向に風を有効に拡散させることが可能なアタッチメントおよびヘアドライヤーを提供する。【解決手段】ヘアドライヤー本体の風の吹き出し口に取り付けられるアタッチメント１は、吹き出し口に接続される取付部５と、この取付部５から風の吹き出し方向へ突出する中空のノズル６とを備えている。ノズル６は、吹き出し口と対向する第１開口部１０を有する第１ノズル２と、この第１ノズル２と連通し先端に第２開口部を有する第２ノズル３とからなる。第２ノズル３は、偏平でかつ第２開口部の長辺方向へ末広がりとなる形状である。第１ノズル２と第２ノズル３との境界部分には、第１ノズル２から第２ノズル３へ流入する風を、第２ノズル３の末広がり方向へ拡散させるための凹部８が設けられている。【選択図】図５
0003219678.tif 000002
【実用新案登録請求の範囲】
【請求項１】
ヘアドライヤー本体の風の吹き出し口に取り付けられるアタッチメントであって、
前記吹き出し口に接続される取付部と、
前記取付部から風の吹き出し方向へ突出する中空のノズルと、を備え、
前記ノズルは、前記吹き出し口と対向する第１開口部を有する第１ノズルと、この第１ノズルと連通し先端に第２開口部を有する第２ノズルとからなり、
前記第２ノズルは、偏平でかつ前記第２開口部の長辺方向へ末広がりとなる形状であり、
前記第１ノズルと前記第２ノズルとの境界部分に、前記第１ノズルから前記第２ノズルへ流入する風を、前記第２ノズルの末広がり方向へ拡散させるための凹部を設けた、ことを特徴とするヘアドライヤー用アタッチメント。
【請求項２】
請求項１に記載のヘアドライヤー用アタッチメントにおいて、
前記凹部は、前記境界部分における風の通路の長辺方向の中間位置にあって、前記通路と連通するように当該通路の側部に設けられている、ことを特徴とするヘアドライヤー用アタッチメント。
【請求項３】
請求項１または請求項２に記載のヘアドライヤー用アタッチメントにおいて、
前記凹部は、前記境界部分における風の通路を挟んで対向するように一対設けられている、ことを特徴とするヘアドライヤー用アタッチメント。
【請求項４】
請求項１ないし請求項３のいずれかに記載のヘアドライヤー用アタッチメントにおいて、
前記凹部は、風の流れる方向に対して平行な側壁と、風の流れる方向に対して垂直な底壁とを有する切欠きからなる、ことを特徴とするヘアドライヤー用アタッチメント。
【請求項５】
ヘアドライヤー本体と、
前記ヘアドライヤー本体の風の吹き出し口に取り付けられるアタッチメントと、を備え、
前記アタッチメントは、請求項１ないし請求項４のいずれかに記載のヘアドライヤー用アタッチメントである、ことを特徴とするヘアドライヤー。
【考案の詳細な説明】
【技術分野】
【０００１】
本考案は、ヘアドライヤーの風の吹き出し口に取り付けられるアタッチメント、およびこのアタッチメントを備えたヘアドライヤーに関する。
【背景技術】
【０００２】
一般に、ヘアドライヤーは、発熱体や送風ファンなどを内蔵した筒状のケースと、このケースの後部に設けられた把持部とを備えている。そして、把持部を手で把持した状態で、当該把持部に設けられている操作スイッチを操作することで、ケースの先端の吹き出し口から温風または冷風を吹き出して、頭髪を乾燥させる。このようなヘアドライヤーには、吹き出す風を収束させるためのアタッチメントが着脱自在に取り付けられるものがある。
【０００３】
風収束用のアタッチメントは、偏平で先端に向って細くなる形状のノズルからなり、ヘアドライヤーから吹き出す風を頭部の狭い領域に集中させて、所望のヘアスタイルを形成することを主目的として用いられる。下記の特許文献１、２には、風収束用のアタッチメントの例が示されている。
【先行技術文献】
【特許文献】
【０００４】
【特許文献１】特開平９−８４６２４号公報
【特許文献２】特開平９−８４６２５号公報
【考案の概要】
【考案が解決しようとする課題】
【０００５】
風収束用のアタッチメントでは、ノズルが偏平であることから、ノズル先端の開口部は細長い形状となる。また、特許文献１、２のように先細りに形成されたノズルでは、先端の開口部の長辺方向の幅が制約される。このため、ノズルから吹き出す風もこの幅の制約を受けることになり、頭部における風が吹き付けられる領域は狭いものとなる。しかるに、ノズルの開口部の短辺方向には風を収束させつつも、長辺方向には風を広げて、頭部の風の吹き付け領域を拡大することで、効率良く整髪を行いたい場合がある。この方策として、ノズルの先端側を、開口部の長辺方向へ末広がりとなる形状にして、開口部から吹き出す風を長辺方向へ拡散させることが考えられる。しかしながら、単にノズルの先端を末広がりとしただけでは、直進する風に比べて拡散する風の比率が小さく、風の拡散効果が十分ではない。
【０００６】
そこで本考案は、ノズルの開口部の短辺方向に風を収束させつつ、長辺方向に風を有効に拡散させることが可能なアタッチメントおよびヘアドライヤーを提供することを課題としている。
【課題を解決するための手段】
【０００７】
本考案に係るアタッチメントは、ヘアドライヤー本体の風の吹き出し口に取り付けられるアタッチメントであって、吹き出し口に接続される取付部と、この取付部から風の吹き出し方向へ突出する中空のノズルとを備えている。ノズルは、吹き出し口と対向する第１開口部を有する第１ノズルと、この第１ノズルと連通し先端に第２開口部を有する第２ノズルとからなる。第２ノズルは、偏平でかつ第２開口部の長辺方向へ末広がりとなる形状である。第１ノズルと第２ノズルとの境界部分には、第１ノズルから第２ノズルへ流入する風を、第２ノズルの末広がり方向へ拡散させるための凹部が設けられている。また、本考案に係るヘアドライヤーは、ヘアドライヤー本体と、このヘアドライヤー本体の風の吹き出し口に取り付けられる上述したアタッチメントとを備えている。
【０００８】
本考案のアタッチメントにあっては、第１ノズルから第２ノズルへ流入する風の一部が、凹部内に流入して反射することによって、凹部から乱流が発生するため、風の一部は直進できずに、第２ノズルの末広がり方向へ拡散される。この結果、第２ノズルを流れる風は、凹部が設けられていない場合と比べて、拡散された風の比率が増加し、第２ノズルから流出する風は、第２開口部の長辺方向に広がった風となる。
【０００９】
本考案において、前記凹部は、第１ノズルと第２ノズルとの境界部分における風の通路の長辺方向の中間位置にあって、通路と連通するように当該通路の側部に設けられていてもよい。
【００１０】
本考案において、前記凹部は、第１ノズルと第２ノズルとの境界部分における風の通路を挟んで、対向するように一対設けられていることが好ましい。
【００１１】
本考案において、前記凹部は、風の流れる方向に対して平行な側壁と、風の流れる方向に対して垂直な底壁とを有する切欠きであってもよい。
【考案の効果】
【００１２】
本考案によれば、ノズルの開口部の短辺方向に風を収束させつつ、長辺方向に風を有効に拡散させることが可能なアタッチメントおよびヘアドライヤーを提供することができる。
【図面の簡単な説明】
【００１３】
【図１】本考案によるアタッチメントをヘアドライヤー本体に取り付けた状態を示す図である。
【図２】本考案によるアタッチメントの正面図である。
【図３】図２のアタッチメントを右方向から見た右側面図である。
【図４】図２のアタッチメントを上方向から見た平面図である。
【図５】図２のアタッチメントを裏側から見た背面図である。
【図６】図２のＡ−Ａ矢視断面図である。
【図７】図２のＢ−Ｂ矢視断面図である。
【図８】図５のＣ−Ｃ矢視断面図である。
【図９】図６の要部拡大図である。
【図１０】風の拡散を説明するための模式図である。
【考案を実施するための形態】
【００１４】
以下、本考案の実施形態につき、図面を参照しながら説明する。各図において、同一の部分または対応する部分には、同一符号を付してある。
【００１５】
図１に示すように、本考案によるアタッチメント１は、ヘアドライヤー本体２０の風の吹き出し口２３に取り付けられるアタッチメントである。このアタッチメント１は、耐熱性のある合成樹脂からなり、図３および図４に示すように、吹き出し口２３に接続される取付部５と、この取付部５から風の吹き出し方向へ突出する中空のノズル６とを備えている。取付部５とノズル６とは、一体に樹脂成形されている。
【００１６】
図６に示すように、ノズル６は、吹き出し口２３（図１）と対向する第１開口部１０を有する第１ノズル２と、この第１ノズル２と連通し先端に第２開口部４を有する第２ノズル３とからなる。
【００１７】
第１ノズル２は、第１開口部１０から第２開口部４に向ってすぼまるような半球状の外形（図３、図４）を有している。第２ノズル３は、図２および図４に示すように偏平に形成されており、かつ図３に示すように、第２開口部４の長辺方向（図３で上下方向）へ末広がりとなっている。
【００１８】
取付部５は、図５に示すように、円筒状に形成されており、ヘアドライヤー本体２０の吹き出し口２３と嵌合する。
【００１９】
図６に示すように、第１ノズル２と第２ノズル３との境界部分９には、凹部８が設けられている。この凹部８は、第１ノズル２から第２ノズル３へ流入する風を、第２ノズル３の末広がり方向（図７で上下方向）へ拡散させるためのものである。この風の拡散については、後で詳細に説明する。
【００２０】
図５および図６に示すように、凹部８は、境界部分９における風の通路１２の長辺方向（図５で上下方向）の中間位置にあって、通路１２と連通するように当該通路１２の側部に設けられている。また、この凹部８は、通路１２を挟んで対向するように、一対設けられている。
【００２１】
図８および図９に示すように、凹部８は、通路１２を流れる風Ｗの方向（図９の矢印方向）に対して平行な側壁８ａと、風Ｗの方向に対して垂直な底壁８ｂとを有する切欠きからなる。
【００２２】
以上の構造を有するアタッチメント１は、取付部５をヘアドライヤー本体２０の吹き出し口２３に嵌合させることにより、図１に示したように、ヘアドライヤー本体２０に取り付けられる。アタッチメント１とヘアドライヤー本体２０とによって、本考案のヘアドライヤーＤＲが構成される。アタッチメント１は、ヘアドライヤー本体２０に対して着脱自在となっている。
【００２３】
ヘアドライヤー本体２０は、モータ、送風ファン、発熱体など（図示省略）が収容されたケース２１と、利用者の手により把持される把持部２２と、電源のオン・オフや風量の切り替えを行うための操作スイッチ２４と、ヘアドライヤー本体２０へ電力を供給するためのコード２５とを備えている。
【００２４】
次に、アタッチメント１の使用方法について説明する。上述した要領でアタッチメント１をヘアドライヤー本体２０の吹き出し口２３に取り付けた状態（図１）で、把持部２２を手で把持して操作スイッチ２４を操作すると、吹き出し口２３から風（温風または冷風）が噴出する。
【００２５】
吹き出し口２３から噴出した風は、第１開口部１０（図６）から第１ノズル２内に流入し、第１ノズル２と第２ノズル３の境界部分９における通路１２を通って、第２ノズル３内に流入し、第２ノズル３の第２開口部４から流出する。
【００２６】
ここで、第１ノズル２に流入した風が通路１２を通る際に、風の一部が第２ノズル３の末広がり方向へ拡散されることが、本考案者らの実験により確認された。これは、図１０に模式的に示したような現象に基づくものと考えられる。図１０において、通路１２を通る風の一部Ｗ１は、凹部８内に流入し、凹部８の底壁８ｂや側壁８ａに衝突する。このため、衝突した風によって、凹部８から破線で示すような乱流Ｚが発生し、この乱流Ｚによって一部の風Ｗ２は、通路１２を直進することが妨げられ、通路１２の長辺方向Ｘ、すなわち第２ノズル３の末広がり方向へ拡散される。
【００２７】
その結果、第２ノズル３内を流れる風は、凹部８が設けられていない場合と比べて、拡散された風の比率が増加し、第２ノズル３の第２開口部４から流出する風は、第２開口部４の短辺方向には収束し、長辺方向には広がった風となる。したがって、頭部における風の吹き付け領域が拡大されて、効率の良い整髪を行うことができる。また、第２開口部４の中央部と端部とで風量がバランスし、頭部に風を均一に吹き付けることができる。
【００２８】
さらに、凹部８は、風の通路１２の長辺方向の中間位置に設けられているので、凹部８の両側へ風を均等に拡散させることができる。また、凹部８を通路１２を挟んで対向するように一対設けたことで、より効率的に風を拡散させることができる。
【００２９】
本考案は、上述した以外にも、以下のような様々な実施形態を採用することができる。
【００３０】
前記の実施形態では、凹部８を、風の通路１２と連通するように、当該通路１２の側部に設けた例を挙げたが、本考案はこれに限定されない。たとえば、凹部８を、通路１２と連通させずに当該通路１２の側部に設けてもよい。
【００３１】
前記の実施形態では、凹部８を、風の通路１２を挟んで対向するように一対設けた例を挙げたが、本考案はこれに限定されない。たとえば、凹部８を、風の通路１２の片側だけに設けてもよい。また、凹部８の数も、１つや２つに限らず、必要に応じて３つ以上設けてもよい。
【００３２】
前記の実施形態では、凹部８が、風Ｗの流れる方向に対して平行な側壁８ａと、風Ｗの流れる方向に対して垂直な底壁８ｂとを有する切欠きからなる例を挙げたが、本考案はこれに限定されない。たとえば、凹部８は、風Ｗの流れる方向に対して傾斜した側壁や底壁を有するものであってもよい。
【００３３】
前記の実施形態では、アタッチメント１を、第２開口部４の長辺方向が図１で上下方向となるように、ヘアドライヤー本体２０に取り付けた例を挙げたが、本考案はこれに限定されない。たとえば、アタッチメント１を、第２開口部４の長辺方向が図１で紙面と垂直な方向となるように、ヘアドライヤー本体２０に取り付けてもよい。
【００３４】
前記の実施形態では、ノズル６と取付部５とが一体に形成されている例を挙げたが、ノズル６と取付部５を別部材とし、ノズル６に取付部５を固定部材で固定してもよい。
【００３５】
前記の実施形態では、アタッチメント１をヘアドライヤー本体２０に着脱自在に取り付けた例を挙げたが、アタッチメント１は、ヘアドライヤーＤＲの構成部品であるノズルとして、ヘアドライヤー本体２０に一体的に固定されていてもよい。
【符号の説明】
【００３６】
１    アタッチメント
２    第１ノズル
３    第２ノズル
４    第２開口部
５    取付部
６    ノズル
８    凹部
８ａ  側壁
８ｂ  底壁
９    境界部分
１０    第１開口部
１２    風の通路
２０    ヘアドライヤー本体
２３    吹き出し口
ＤＲ    ヘアドライヤー
【図１】
0003219678.tif 000003
【図２】
0003219678.tif 000004
【図３】
0003219678.tif 000005
【図４】
0003219678.tif 000006
【図５】
0003219678.tif 000007
【図６】
0003219678.tif 000008
【図７】
0003219678.tif 000009
【図８】
0003219678.tif 000010
【図９】
0003219678.tif 000011
【図１０】
0003219678.tif 000012